(57)【要約】      （修正有）【課題】幅の狭い場所においても使用可能で、複数の計数をカウント表示可能な小型複数連のデジタル表示カウンターの提供。【解決手段】５連デジタル表示カウンター１０は、第１から第５の５つの表示部２と、それぞれの表示部２に対応する第１から第５の５つのスイッチキー３と、スイッチキー３の押下のカウント開始をするオールクリアキー４と、前記第１から第５のスイッチキー３が押下された回数を記憶すると共に前記対応する表示部２に表示する電子カウンター回路部７とを備える本体１と、本体１の表面を覆う開閉自在な透明カバー５と、本体の側面に設けられた保持フック１ａを構成する。【選択図】図１
0003115331.tif 000002
【実用新案登録請求の範囲】
【請求項１】
第１から第５の５つの表示部と、それぞれの表示部に対応する第１から第５の５つのスイッチキーと、スイッチキーの押下による計数カウントを開始するオールクリアキーと、前記第１から第５のスイッチキーが押下された回数を記憶すると共に前記対応する表示部に表示する電子カウンター回路部とを備える本体と、本体の表面を覆う開閉自在な透明カバーと、本体の側面に設けられた保持フックとから構成することを特徴とする５連デジタル表示カウンター。
【請求項２】
前記第１の表示部は４桁数字表示、第２から第５の表示部は２桁数字表示の液晶画面からなり、前記カウンター回路部は、時間カウントを行い、前記スイッチキーまたはオールクリアキーの操作がなされてから一定時間経過すると自動的に表示を消去する省電源手段を備えることを特徴とする請求項１記載の５連デジタル表示カウンター。
【考案の詳細な説明】
【技術分野】
【０００１】
本考案は、デジタル表示を行う計数カウンターに関し、より詳しくは、複数の計数対象を１台の計数カウンターで行う携帯用カウンターに関する。
【背景技術】
【０００２】
従来、一定時間帯の車両種別毎の通行量計測などには機械式のアナログ計数器が用いられていた。しかし、これらは重量がありかさばるため、ある程度の手元の面積を確保し屋外で用いられていた。また、高価である問題があった。
【０００３】
近年、ゲーム機（パチンコ、スロット）による遊戯では、大当たり回数、回転数、大当たり確率、役モノへの入賞回数などを認知してゲームを行うことによりゲームの対象機械の設定判別を推定する参考となることが知られている。しかし、それらの計数表示がなされていないゲーム店では、ゲーム者本人が何らかの方法で複数の計数カウントを行わねばならなかった。このため、ゲーム店の狭い場所で複数の計数対象のカウントを容易に行うことのできる計数カウンターが望まれていた。
【０００４】
特許文献１は、カウント数を記憶し表示するための電卓部と、この電卓部にカウント信号を入力するためのスイッチ部とを備えたカウンター装置の発明が開示されている。この発明は、電子カウンター回路部に電卓を用いているため、製作が容易で安価に製造ができる特徴を有しているものの、計数スイッチ及び表示部が一つであり複数の計数対象をカウントして複数の計数結果を同時に表示させることが出来ない問題があった。
【０００５】
【特許文献１】特開平５−２６５９６３号公報（第２、３頁、第１図）
【考案の開示】
【考案が解決しようとする課題】
【０００６】
本考案は、前記問題に鑑みてなされたもので、幅が狭い場所においても使用可能で、複数の計数をカウント表示可能な小型複数連のデジタル表示カウンターの提供を課題とする。
【課題を解決するための手段】
【０００７】
前記課題を解決するため、本考案の５連デジタル表示カウンターは、第１から第５の５つの表示部と、それぞれの表示部に対応する第１から第５の５つのスイッチキーと、スイッチキーの押下による計数カウントを開始するオールクリアキーと、前記第１から第５のスイッチキーが押下された回数を記憶すると共に前記対応する表示部に表示する電子カウンター回路部とを備える本体と、本体の表面を覆う開閉自在な透明カバーと、本体の側面に設けられた保持フックとから構成することを特徴とする。
【０００８】
また、前記第１の表示部は４桁数字表示、第２から第５の表示部は２桁数字表示の液晶画面からなり、前記カウンター回路部は、時間カウントを行い、前記スイッチキーまたはオールクリアキーの操作がなされてから一定時間経過すると自動的に表示を消去する省電源手段を備えることを特徴とする。
【考案の効果】
【０００９】
本考案の５連デジタル表示カウンターによれば、幅の狭い場所においても使用可能で、同時に５つの計数対象を個別に計数カウントして表示させることができる。また、計数カウントを中断している際にはカバーを被せることができるため、誤って計数される恐れが無い。
【００１０】
また、４桁数字表示ができる第１の表示部を備えるため、計数が３桁以上となる対象についてもカウントができる。さらに、計数カウントが終了して一定時間が経過すると自動的に表示を消去するので、電源操作のわずらわしさが無い。
【考案を実施するための最良の形態】
【００１１】
本考案の５連デジタル表示カウンターを、図に基づいて詳細に説明する。図１は本考案の５連デジタルカウンターの平面図である。
【００１２】
５連デジタル表示カウンター１０は、本体１とその表面に開閉自在に取り付けられた透明カバー５とから構成され、本体１の側面には保持フック１ａが設けられ、例えば図示のようなフック金物２０などで携帯に際して紛失しないように持ち運べる形態としている。
【００１３】
この実施の形態では、横幅１０５ｍｍ、奥行き３５ｍｍ、厚さ１３．５ｍｍと小型で携帯可能なサイズとしている。
【００１４】
本体１の表面の上部には、第１の表示部２ａ、第２の表示部２ｂ、第３の表示部２ｃ、第４の表示部２ｄ、第５の表示部２ｅが設けられ、第１の表示部は４桁数字が、第２ないし第５の表示部は２桁数字が表示される液晶画面からなる。
【００１５】
本体１表面の下部には、前記第１から第５の表示部の下にそれぞれ第１のスイッチキー３ａ、第２のスイッチキー３ｂ、第３のスイッチキー３ｃ、第４のスイッチキー３ｄ、第５のスイッチキー３ｅが設けられている。
【００１６】
本体１の第５の表示部２ｅの右側にはオールクリアキー４が設けられている。
【００１７】
スイッチキー３ａ〜３ｅは、押下することにより計数カウントされ、対応する表示部２ａ〜２ｅの数値が１ずつ増加されて表示される。
【００１８】
また、各表示部２ａ〜２ｅを個別にクリアーする際は、スイッチキー３ａないし３ｅを３秒以上押し続けることにより行う。
【００１９】
計数カウントの開始に際しては、オールクリアキー４を押下することにより電源ＯＮとすると共に、初期状態のオールクリアを行う。
【００２０】
スイッチキー３ａ〜３ｅ及びオールクリアキー４は、同時に二つのキーが押された場合は、エラーとして計数を行わず、いずれか１個のキーが押された場合のみ計数動作するようにコントロールされ、押し間違いを防止している。
【００２１】
第１の表示部２ａは、４桁数字表示までであるので、計数カウントが９９９９となった場合、次に第１のスイッチキー３ａが押下された際に００００に戻り、その次の第１のスイッチキー３ａの押下から１と計数する。
【００２２】
また、第２の表示部２ａから第５の表示部２ｅは、２桁数字表示までであるので、計数カウントが９９となった場合、次に対応するスイッチキー３ｂ〜３ｅが押下された際に００に戻り、その次のスイッチキーの押下から１と計数する。
【００２３】
電子カウンター回路部は、スイッチキー３ａ〜３ｅの押下を検知して、それぞれの計数記憶をカウントアップし記憶すると共に、表示部にその数字を表示する。
【００２４】
さらに電子カウンター回路部は、スイッチキー３ａ〜３ｅ及びオールクリアキー４のいずれか最後に押下された時刻からタイマーを動作させ、所定時間を経過した場合、自動的に表示を消去する省電源手段を備える。尚、この実施例では前記所定時間を９０分とし、操作を９０分間しないと表示を消去して電力消費を抑えている。
【００２５】
図２は、本考案の５連デジタルカウンターを示し、（ａ）は斜視図、（ｂ）は側面図である。
【００２６】
図２（ａ）に示すように、透明カバー５は本体１に設けられた蝶番５ａに開閉自在に嵌合されており、計数カウントに使用する際には開き、計数カウントを中断する際には閉じて、誤ってスイッチキー３ａ〜３ｅを押下することを防止する。
【００２７】
図２（ｂ）に示すように、スイッチキー３（３ａ〜３ｅ）及びオールクリアキー４は、本体１の表面に僅かに突出して設けられている。
【００２８】
次に、図３は本発明の５連デジタルカウンターの構成を示す模式図である。以下、図３により構成を説明する。
【００２９】
電子カウンター回路部７は、演算部７ａと、各スイッチキー３ａ〜３ｅ及びオールクリアキー４の入力を検出して計数・記憶・表示を行うプログラム及び計数記録をゼロクリアして表示部の表示を開始するプログラムと共に計数を記録する記憶部７ｂと、スイッチキー及び表示部２ａ〜２ｅと信号の入出力を行うＩ／Ｏポート７ｃと、それらのユニットに電源を供給する電源部（電池）７ｄとから構成されている。
【図面の簡単な説明】
【００３０】
【図１】本考案の５連デジタルカウンターの平面図である。
【図２】本考案の５連デジタルカウンターを示し、（ａ）は斜視図、（ｂ）は側面図である。
【図３】本考案の５連デジタルカウンターの構成を示す模式図である。
【符号の説明】
【００３１】
１    本体
１ａ  保持フック
２    表示部
２ａ  第１の表示部
２ｂ  第２の表示部
２ｃ  第３の表示部
２ｄ  第４の表示部
２ｅ  第５の表示部
３    スイッチキー
３ａ  第１のスイッチキー
３ｂ  第２のスイッチキー
３ｃ  第３のスイッチキー
３ｄ  第４のスイッチキー
３ｅ  第５のスイッチキー
４    オールクリアキー
５    透明カバー
５ａ  蝶番
７    電子カウンター回路
７ａ  演算部
７ｂ  記憶部
７ｃ  Ｉ／Ｏポート
７ｄ  電源部（電池）
【図１】
0003115331.tif 000003
【図２】
0003115331.tif 000004
【図３】
0003115331.tif 000005